(57)【要約】      （修正有）【課題】綴じ具を製造する際の、シャフト部材をリング支持部材間に配置する作業を容易に行うことができる綴じ具を提供する。【解決手段】互いに隣接し、それぞれに対をなすリング部分４ａ、４ｂおよび軸受け部分が形成された二本のリング支持部材２ａ、２ｂと、リング支持部材の長手方向に沿って各リング支持部材の軸受け部分に通して配置され、二本のリング支持部材の相互を連結するシャフト部材３とを有する綴じ具であって、二本のリング支持部材の相互間に、軸受け部分の内側を含んでリング支持部材の長手方向に延びるシャフト配置スペースＡｓを有し、リング支持部材の少なくとも一方の端部側に、シャフト配置スペースＡｓの中心軸線から偏心する挿入ガイド通路６が設けられる。【選択図】図８
2020006539.tif 000002
【特許請求の範囲】
【請求項１】
互いに隣接し、それぞれに対をなすリング部分および軸受け部分が形成された二本のリング支持部材と、リング支持部材の長手方向に沿って各リング支持部材の前記軸受け部分に通して配置され、二本のリング支持部材の相互を連結するシャフト部材とを有してなり、シャフト部材の周りでのリング支持部材の回動変位により、リング部分を、対をなす該リング部分のそれぞれの先端部が互いに近接してリング形状が形成される閉鎖位置と、それぞれの前記先端部が互いに離隔する開放位置との間で移動可能とした綴じ具であって、
二本の前記リング支持部材の相互間に、前記軸受け部分の内側を含んでリング支持部材の長手方向に延びるシャフト配置スペースを有し、前記リング支持部材の少なくとも一方の端部側に、前記シャフト配置スペースの中心軸線から偏心する挿入ガイド通路が設けられてなる綴じ具。
【請求項２】
前記挿入ガイド通路が、少なくとも一部で、互いに隣接する二本のリング支持部材の幅方向に、前記シャフト配置スペースの中心軸線から偏心してなる請求項１に記載の綴じ具。
【請求項３】
前記挿入ガイド通路が、前記シャフト配置スペースの他の箇所に比して該シャフト配置スペースの中心軸線から離れる方向に拡がる拡大スペース箇所に設けられてなる請求項１又は２に記載の綴じ具。
【請求項４】
前記挿入ガイド通路が、前記シャフト配置スペースの中心軸線に対して傾斜するガイド傾斜面を有してなる請求項１〜３のいずれか一項に記載の綴じ具。
【請求項５】
前記挿入ガイド通路が、前記リング支持部材の端部に到達してなる請求項１〜４のいずれか一項に記載の綴じ具。
【請求項６】
前記リング支持部材の端部が、他の部分に比して外周を拡大させた拡大端部であり、前記拡大端部に、前記挿入ガイド通路がつながるシャフト挿入孔が設けられてなる請求項５に記載の綴じ具。
【請求項７】
前記拡大端部の前記シャフト挿入孔が、前記シャフト配置スペースの中心軸線に対し、前記挿入ガイド通路の偏心方向と異なる方向にずれて位置してなる請求項６に記載の綴じ具。
【請求項８】
前記シャフト配置スペースの中心軸線に対し、前記挿入ガイド通路が、互いに隣接する二本のリング支持部材の幅方向の一方側に偏心するとともに、前記シャフト挿入孔が、前記幅方向の他方側にずれて位置してなる請求項７に記載の綴じ具。
【請求項９】
前記拡大端部の、前記シャフト配置スペースを延長させた位置に、シャフト部材を前記シャフト配置スペース内に収める抜け止め壁部が設けられてなる請求項６〜８のいずれか一項に記載の綴じ具。
【請求項１０】
前記シャフト挿入孔が、前記拡大端部の外周面より内側に存在してなる請求項６〜９のいずれか一項に記載の綴じ具。
【請求項１１】
前記シャフト挿入孔が、当該拡大端部の外周面に開口してなる請求項６〜９のいずれか一項に記載の綴じ具。
【請求項１２】
前記シャフト部材が、１ｍｍ以上の直径を有する金属製ロッドである請求項１〜１１のいずれか一項に記載の綴じ具。
【請求項１３】
各リング支持部材が、リング部分の基部と連結される平坦面状の側面と、対をなすリング部分による前記リング形状の形成される側にある平坦面状の表面とを含むフレーム部分を有し、前記フレーム部分の内側に前記軸受け部分が収納されてなる請求項１〜１２のいずれか一項に記載の綴じ具。
【請求項１４】
前記フレーム部分が裏面側に、前記軸受け部分よりも裏面側に突出し、リング部分が前記閉鎖位置から前記開放位置に向かうに従って互いに接近して前記開放位置で当接するストッパー突出部を有してなる請求項１３に記載の綴じ具。
【請求項１５】
二本のリング支持部材が長手方向に相対的に移動可能であり、二本のリング支持部材の相互を長手方向に付勢するコイルばねをさらに有してなる請求項１〜１４のいずれか一項に記載の綴じ具。
【発明の詳細な説明】
【技術分野】
【０００１】
この発明は、シャフト部材の周りでの二本のリング支持部材の回動変位により、各リング支持部材に形成された対をなすリング部分を開閉可能とした綴じ具、たとえばルーズリーフ用紙その他の紙葉の綴込みに用いて好適な綴じ具に関するものであり、特に、かかる綴じ具の容易な製造を実現することのできる技術を提案するものである。
【背景技術】
【０００２】
この種の綴じ具は、二本のリング支持部材のそれぞれに形成した軸受け部分に、それとは別個の部材としての金属製等のシャフト部材を通し、シャフト部材の周りでリング支持部材を回動変位させることにより、リング支持部材のリング部分が開閉するものである。それにより、リング部分の先端部を近接させてリング形状が形成される閉鎖位置では、紙葉を綴じ込むことができる一方で、リング部分の先端部を離隔させた開放位置では、紙葉を取り外すことができる。
このような綴じ具としては従来、特許文献１〜６等に記載されたものがある。
【先行技術文献】
【特許文献】
【０００３】
【特許文献１】特許第５６９８３２０号公報
【特許文献２】特許第５７９７６８５号公報
【特許文献３】特許第５２２６１４６号公報
【特許文献４】特許第４９５４３０１号公報
【特許文献５】特許第５０４９９８４号公報
【特許文献６】特許第５０４９９８５号公報
【発明の概要】
【発明が解決しようとする課題】
【０００４】
ところで、シャフト部材を有する上記の綴じ具によれば、リング支持部材の円滑な回動変位および、それに伴うリング部分のスムーズな開閉動作が可能になるも、その製造に際しては、リング支持部材とは別のシャフト部材を、リング支持部材の軸受け部分に通して、そこに配置するという作業を要する。
【０００５】
ここで、使用時にリング支持部材の端部からのシャフト部材の脱落を防止するとの観点からは、二本のリング支持部材の間のシャフト部材の配置スペースを、リング支持部材の端部まで直線状に貫通する形状とすることは望ましくない。
他方、このことを考慮して、リング支持部材の端部でシャフト部材の配置スペースの延長線上に、シャフト部材の抜け止めのための壁部等を設けた場合、製造時にリング支持部材の端部側からシャフト部材を挿入するには、シャフト部材を、リング支持部材の長手方向に対して斜めの方向から配置スペースに、湾曲変形させつつ進入させて、リング支持部材の軸受け部分に通す必要がある。
【０００６】
この場合、リング支持部材の形状や、金属製等のシャフト部材の材質、強度ないし直径その他の条件等によっては、シャフト部材をリング支持部材間の配置スペースに配置する作業を困難にするという問題があった。
【０００７】
この発明は、このような問題に対処することを課題とするものであり、その目的とするところは、リング支持部材およびシャフト部材を有する所定の綴じ具を製造する際の、シャフト部材をリング支持部材間に配置する作業を容易に行うことができる綴じ具を提供することにある。
【課題を解決するための手段】
【０００８】
この発明の綴じ具は、互いに隣接し、それぞれに対をなすリング部分および軸受け部分が形成された二本のリング支持部材と、リング支持部材の長手方向に沿って各リング支持部材の前記軸受け部分に通して配置され、二本のリング支持部材の相互を連結するシャフト部材とを有してなり、シャフト部材の周りでのリング支持部材の回動変位により、リング部分を、対をなす該リング部分のそれぞれの先端部が互いに近接してリング形状が形成される閉鎖位置と、それぞれの前記先端部が互いに離隔する開放位置との間で移動可能としたものであって、二本の前記リング支持部材の相互間に、前記軸受け部分の内側を含んでリング支持部材の長手方向に延びるシャフト配置スペースを有し、前記リング支持部材の少なくとも一方の端部側に、前記シャフト配置スペースの中心軸線から偏心する挿入ガイド通路が設けられてなるものである。
【０００９】
ここで、前記挿入ガイド通路は、少なくとも一部で、互いに隣接する二本のリング支持部材の幅方向に、前記シャフト配置スペースの中心軸線から偏心していることが好ましい。
【００１０】
またここで、前記挿入ガイド通路は、前記シャフト配置スペースの他の箇所に比して該シャフト配置スペースの中心軸線から離れる方向に拡がる拡大スペース箇所に設けられていることが好ましい。
【００１１】
そしてまた、前記挿入ガイド通路は、前記シャフト配置スペースの中心軸線に対して傾斜するガイド傾斜面を有することが好適である。
【００１２】
この発明の綴じ具では、前記挿入ガイド通路が、前記リング支持部材の端部に到達するものとすることができる。
この場合、前記リング支持部材の端部は、他の部分に比して外周を拡大させた拡大端部とすることができ、前記拡大端部には、前記挿入ガイド通路がつながるシャフト挿入孔が設けられていることが好適である。
【００１３】
前記拡大端部の前記シャフト挿入孔は、前記シャフト配置スペースの中心軸線に対し、前記挿入ガイド通路の偏心方向と異なる方向にずれて位置することが好ましい。
特にここでは、前記シャフト配置スペースの中心軸線に対し、前記挿入ガイド通路が、互いに隣接する二本のリング支持部材の幅方向の一方側に偏心するとともに、前記シャフト挿入孔が、前記幅方向の他方側にずれて位置することがより一層好ましい。
【００１４】
前記拡大端部の、前記シャフト配置スペースを延長させた位置には、シャフト部材を前記シャフト配置スペース内に収める抜け止め壁部が設けられていることが好ましい。
【００１５】
なお、前記シャフト挿入孔は、前記拡大端部の外周面より内側に存在するものとすることができる。
あるいは、前記シャフト挿入孔は、当該拡大端部の外周面に開口するものとすることもできる。
【００１６】
上述したような綴じ具では、前記シャフト部材は、１ｍｍ以上の直径を有する金属製ロッドであることが好ましい。
【００１７】
ところで、各リング支持部材は、リング部分の基部と連結される平坦面状の側面と、対をなすリング部分による前記リング形状の形成される側にある平坦面状の表面とを含むフレーム部分を有し、前記フレーム部分の内側に前記軸受け部分が収納されていることが好ましい。
【００１８】
この場合においては、前記フレーム部分が裏面側に、前記軸受け部分よりも裏面側に突出し、リング部分が前記閉鎖位置から前記開放位置に向かうに従って互いに接近して前記開放位置で当接するストッパー突出部を有することが好適である。
【００１９】
なお、この発明の綴じ具は、二本のリング支持部材が長手方向に相対的に移動可能であり、二本のリング支持部材の相互を長手方向に付勢するコイルばねをさらに有するものとすることができる。
【発明の効果】
【００２０】
この発明の綴じ具では、リング支持部材の少なくとも一方の端部側に、リング支持部材間のシャフト配置スペースの中心軸線から偏心する挿入ガイド通路を設けたことにより、シャフト部材をリング支持部材の端部側からシャフト配置スペースに向けて進入させる際に、シャフト部材を変形させつつ、上記の偏心する挿入ガイド通路に逃がしながら、シャフト配置スペースに到達させることができる。その結果として、シャフト部材をリング支持部材間に配置する作業を容易に行うことができる。
【図面の簡単な説明】
【００２１】
【図１】この発明の一の実施形態の綴じ具を、リング部分が閉塞位置にある状態で示す斜視図である。
【図２】図１の綴じ具を、リング部分が開放位置にある状態で示す斜視図である。
【図３】図１の綴じ具の側面図である。
【図４】図３のＩＶ−ＩＶ線に沿う横断面図である。
【図５】図３のＶ−Ｖ線に沿う横断面図である。
【図６】図３のＶＩ−ＶＩ線に沿う横断面図および、そのリング部分が開放位置にある状態を示す同様の横断面図である。
【図７】図１の綴じ具の端部側の要部を示す、シャフト配置スペースの中心軸線を含む幅方向に平行な縦断面図である。
【図８】図１の綴じ具の組立て途中の状態をそれぞれ示す、図７と同様の縦断面図である。
【図９】図１の綴じ具の底面図である。
【図１０】リング支持部材の端部の変形例を示す、シャフト配置スペースの中心軸線を含む幅方向に平行な縦断面図および、底面図である。
【図１１】図１の綴じ具が有するリング支持部材のそれぞれの長手方向の一部を示す斜視図である。
【図１２】図１の綴じ具のリング支持部材が有するスライド凸部による動作を示す、該スライド凸部を通る部分縦断面図である。
【図１３】図１の綴じ具の部分背面図である。
【発明を実施するための形態】
【００２２】
以下に図面を参照しながら、この発明の実施の形態について詳細に説明する。
図１〜３に例示する綴じ具１は、一方向に互いに並行する向きに並んで隣接する長尺のリング支持部材２ａ、２ｂと、図４〜６に横断面図で示すところから解かるように、リング支持部材２ａ、２ｂの相互間に配置されたストレートの丸棒その他の棒状のシャフト部材３とを具えるものである。
【００２３】
ここで、リング支持部材２ａ、２ｂのそれぞれには、側面Ｓｓから表面Ｓｆ側に向けて湾曲して延びるほぼ半円弧状のリング部分４ａ、４ｂが、その長手方向に相互に所定の間隔をおいて複数対形成されている。
またここで、各リング支持部材２ａ、２ｂには、それらの相互間に、図４、５に示すように、たとえば、互いに隣接する二本のリング支持部材２ａ、２ｂの幅方向（図４、５では左右方向）の外側に開口する実質的に「Ｃ」形状等の軸受け部分５が、長手方向に一個以上形成されている。
【００２４】
そしてここでは、シャフト部材３が、リング支持部材２ａ、２ｂの長手方向と平行に、リング支持部材２ａ、２ｂのそれぞれの軸受け部分５の内側を通って配置されており、それにより、リング支持部材２ａ、２ｂが、シャフト部材３の挿入されたそれぞれの軸受け部分５で互いに連結されて、図示のような綴じ具１が構成されている。
【００２５】
このような綴じ具１は、リング支持部材２ａ、２ｂのそれぞれの軸受け部分５に挿入されたシャフト部材３の周りで、リング支持部材２ａ、２ｂを回動変位させることにより、図１及び２に示すように、リング支持部材２ａ、２ｂに形成したリング部分４ａ、４ｂの開閉動作を生じさせることができる。
【００２６】
より詳細には、図１に示すところでは、リング支持部材２ａ、２ｂのそれぞれの対をなすリング部分４ａ、４ｂが、該リング部分４ａ、４ｂの先端部で互いに接近し、それらのリング部分４ａ、４ｂにより、リング支持部材２ａ、２ｂの表面Ｓｆ近傍でやや曲率が小さくなる異形円状等のリング形状が形成されている。この状態をリング部分４ａ、４ｂが閉鎖位置にある状態という。
この閉鎖位置の状態から、リング支持部材２ａ、２ｂをシャフト部材３の周りで回動変位させると、対をなすリング部分４ａ、４ｂの先端部が互いに離隔し、図２に示すように、当該リング部分４ａ、４ｂが開く開放位置に移動させることができる。この開放位置から、リング支持部材２ａ、２ｂを逆向きに回動変位させれば、上記の閉鎖位置とすることができる。
【００２７】
したがって、図示の綴じ具１は、対をなすリング部分４ａ、４ｂを閉鎖位置と開放位置との間で移動させることができ、これにより、リング部分４ａ、４ｂの開放位置で、ルーズリーフ用紙等の紙葉に設けられた穴へリング部分４ａ、４ｂを挿入し、その状態でリング部分４ａ、４ｂを閉鎖位置に移動させることで、紙葉を綴じ込むことができる。その後、必要に応じて、リング部分４ａ、４ｂを開放位置に移動させると、紙葉の取り外しが可能である。
【００２８】
ところで、綴じ具１を製造するには、リング支持部材２ａ、２ｂがプラスチック製である場合は該リング支持部材２ａ、２ｂを射出成形等により形成した後、これらリング支持部材２ａ、２ｂを互いに隣接させて平行に重ね合わせた状態で、リング支持部材２ａ、２ｂのそれぞれの、相互間に位置する軸受け部分５に、金属製等のシャフト部材３を通し、リング支持部材２ａ、２ｂの相互間に区画される軸受け部分５の内側を含むシャフト配置スペースに、シャフト部材３を配置するという作業が必要になる。
【００２９】
ここで仮に、シャフト部材の形状に応じた直線状のシャフト配置スペースを、リング支持部材の端部まで長手方向に直線状に延長させて、シャフト配置スペースが当該端部まで直線状に貫通するものとすれば、綴じ具の製造時のシャフト部材の配置作業は、シャフト部材を当該端部から真直ぐに差し込めばよいので容易になる。
但し、この場合、綴じ具の使用に際して、リング支持部材の端部まで直線状につながるシャフト配置スペースから、シャフト部材が抜け落ちやすくなって、綴じ具が容易に分解する。
【００３０】
これを防止するには、リング支持部材２ａ、２ｂの端部でシャフト部材の配置スペースの延長線上には、シャフト部材の抜け止めのための後述の壁部等を設ける必要があるところ、このようにすれば、綴じ具１の製造時に、シャフト部材３をリング支持部材２ａ、２ｂの端部側から挿入するには、上記の壁部等を避けて、シャフト部材３を、リング支持部材２ａ、２ｂの長手方向に対して斜めの方向から湾曲変形させながら進入させることになる。
【００３１】
このようなリング支持部材２ａ、２ｂ間へのシャフト部材３の進入を容易にするため、この実施形態では、図７に示すように、リング支持部材２ａ、２ｂの少なくとも一方の端部側に、シャフト配置スペースＡｓの中心軸線Ｃｓから偏心する挿入ガイド通路６を設ける。なお、図示の綴じ具１は、リング支持部材２ａ、２ｂを互いに同じ形状としているので、挿入ガイド通路６はリング支持部材２ａ、２ｂの両端部側に存在するが、いずれか一方側の端部側のみとしてもよい。
【００３２】
このことによれば、綴じ具１の製造時のシャフト部材３の配置作業に際し、図８（ａ）及び（ｂ）に示すように、互いに重ね合わせたリング支持部材２ａ、２ｂの端部側から、シャフト部材３を挿入すると、シャフト部材３が、シャフト配置スペースＡｓの中心軸線Ｃｓから偏心する挿入ガイド通路６に逃げながら、シャフト配置スペースＡｓに進入することができるので、挿入時のシャフト部材３の湾曲変形の程度を小さく抑えながら、シャフト部材３をシャフト配置スペースＡｓに配置することができる。
それにより、シャフト部材３の配置作業を容易に行うことができるようになる。
【００３３】
また挿入ガイド通路６を設けることにより、たとえば直径が大きく強度の高いシャフト部材３であっても、シャフト配置スペースＡｓに配置することが可能になり、かかるシャフト部材３によって綴じ具１全体としての剛性を高めること等を実現することができる。
【００３４】
図示は省略するが、綴じ具１の構造によっては、挿入ガイド通路は、シャフト配置スペースＡｓの中心軸線Ｃｓに対し、たとえば、リング部分４ａ、４ｂによるリング形状が形成される表面Ｓｆ側や、それとは反対側の裏面Ｓｂ側等に偏心させることも可能である。
但し、リング支持部材２ａ、２ｂには、軸受け部分５やその他の機構を設けており、これらの機構との干渉を防止しつつ、シャフト部材３の配置作業の際にシャフト部材３を有効に逃がしながら挿入できるようにするため、図示の実施形態のように、挿入ガイド通路６は、互いに隣接する二本のリング支持部材の幅方向（図７、８では上下方向）、つまり、いずれか一方の側面Ｓｓ側に偏心させることが好ましい。
【００３５】
この実施形態では、図７、８に示すように、リング支持部材２ａ、２ｂの端部側で、シャフト配置スペースＡｓの一部に、シャフト配置スペースＡｓの他の箇所によりも中心軸線Ｃｓから離れる方向に拡がる拡大スペース箇所Ｅｓを設けており、この拡大スペース箇所Ｅｓの拡大部分を上記の挿入ガイド通路６に区画し、そこに挿入ガイド通路６を設けている。
【００３６】
また、図示の挿入ガイド通路６は、上記の拡大スペース箇所Ｅｓの拡大部分を区画するスペース内面として、シャフト配置スペースＡｓの中心軸線Ｃｓに対し、たとえば端部側に向かうに従ってシャフト配置スペースＡｓを幅方向に拡げる向きに傾斜するガイド傾斜面７を有する。このガイド傾斜面７は、図８（ｂ）に示すように、リング支持部材２ａ、２ｂの端部側から挿入されて挿入ガイド通路６を通過するシャフト部材３を、シャフト配置スペースＡｓに向かって進入するように案内するべく機能する。このことによれば、リング支持部材２ａ、２ｂ間へのシャフト部材３のより円滑な挿入を実現することができる。
なおこの例では、シャフト配置スペースＡｓの中心軸線Ｃｓは、シャフト配置スペースＡｓに適正に配置されたシャフト部材３の中心軸線と同軸になる。
【００３７】
ところで、この実施形態では、シャフト部材３が挿入されるリング支持部材２ａ、２ｂの端部は、リング支持部材２ａ、２ｂの他の部分に比して外周が拡大した円盤状等の拡大端部８としている。この拡大端部８は、綴じ具１の使用に際し、リング部分４ａ、４ｂの開閉動作を行わせるユーザーの把持に供され得るものであるが、拡大端部８は必ずしも必要ではない場合もある。
【００３８】
そしてここでは、拡大端部８には、該拡大端部８を長手方向に貫通するシャフト挿入孔９が設けられており、先に述べた挿入ガイド通路６は拡大端部８に到達して、このシャフト挿入孔９に連通してつながるものとしている。この構成により、綴じ具１の製造時のシャフト部材３の配置作業の際に、シャフト部材３を、リング支持部材２ａ、２ｂの拡大端部８に設けたシャフト挿入孔９に挿入して、挿入ガイド通路６及び、さらにはシャフト配置スペースＡｓに至らせることができる。なお、挿入ガイド通路を、リング支持部材の端部に到達させないことも可能であるが、この場合、当該端部の手前から挿入することになるシャフト部材３をある程度大きく変形させざるを得なくなることが懸念される。
【００３９】
シャフト挿入孔９は、図９に示すように、円盤状等の拡大端部８の外周面８ａに開口した切欠き状のものとして設けることができる。但し、図９に示すシャフト挿入孔９を設けた拡大端部８では、ユーザーが拡大端部８を把持した際に、切欠き状のシャフト挿入孔９の角部が当たることにより不快を感じる可能性が否めない。
そのため、図１０に示すような、円盤状等の拡大端部１８の外周面１８ａに開口せず、該外周面１８ａより内側に存在するシャフト挿入孔１９とすることもできる。このシャフト挿入孔１９では、拡大端部１８の外周面１８ａに開口しないことから、ユーザーが拡大端部１８を把持した際に、図９のシャフト挿入孔９の場合の不快はない。なお、図１０のシャフト挿入孔１９では、外周面１８ａとシャフト挿入孔１９との間にある程度厚みをもたせて、所要の強度を確保することが望ましい。
【００４０】
ちなみに、図７〜９のシャフト挿入孔９は、その中心軸線Ｃｓ側の内面を、図７に示すように、中心軸線Ｃｓに対して傾斜し、シャフト配置スペースＡｓ側に向かうに従って中心軸線Ｃｓに接近する斜面とすることができる。これにより、シャフト部材３を挿入する際のシャフト部材３の大きな湾曲変形をさらに抑制することができる。
一方、図１０のシャフト挿入孔１９は、図７〜９のシャフト挿入孔９に比して中心軸線Ｃｓ寄りに設けることができるので、シャフト部材３の容易な挿入が可能である。
【００４１】
上述したいずれのシャフト挿入孔９、１９でも、シャフト配置スペースＡｓの中心軸線Ｃｓに対して挿入ガイド通路６の偏心方向と異なる方向にずらして位置させることが、シャフト部材３の容易な挿入を実現するとの観点から好ましい。
より具体的には、図示の実施形態のように、挿入ガイド通路６を、シャフト配置スペースＡｓの中心軸線Ｃｓに対して、リング支持部材２ａ、２ｂの幅方向の一方側（図７及び図１０（ａ）では下方側）に偏心させた場合、これとは逆に、シャフト挿入孔９、１９は、中心軸線Ｃｓに対して、幅方向の他方側（図７及び図１０（ａ）では上方側）にずらして位置させることが好適である。このようにすれば、シャフト部材３を挿入する際に、図８に示すところから解かるように、リング支持部材２ａ、２ｂの幅方向の他方側に位置するシャフト挿入孔９、１９から、幅方向の一方側に位置する挿入ガイド通路６に向けて、シャフト部材３が湾曲変形できる領域を確保することができる。
【００４２】
このようにシャフト挿入孔９、１９をシャフト配置スペースＡｓの中心軸線Ｃｓに対してずらして設けた場合、拡大端部８、１８の、シャフト配置スペースＡｓを延長させた位置、図示の例では円盤状の拡大端部８、１８のほぼ中央位置に、シャフト部材３の抜け止め壁部１０、２０を設けることが好ましい。この抜け止め壁部１０、２０を設けることにより、綴じ具１の使用に際して、シャフト部材３がシャフト配置スペースＡｓから外れて、リング支持部材２ａ、２ｂの端部から抜け落ちることを防止することができる。
【００４３】
以上に述べた構成を有する綴じ具１では、それを製造する際に、リング支持部材２ａ、２ｂ間へシャフト部材３を容易に挿入して、シャフト部材３をシャフト配置スペースＡｓに配置することができる。
それにより、ある程度大きな直径で強度のある金属製ロッドを、シャフト部材３として用いることが可能になり、それにより、綴じ具１の全体としての剛性を高めて、リング部分４ａ、４ｂの開閉動作の容易さを含め、綴じ具１の使いやすさを向上させることができる。このようなシャフト部材３としての金属製ロッドの直径は１ｍｍ以上とすることが好適である。なお通常は、金属製ロッドの直径は２ｍｍ以下とすることが多い。
シャフト部材３としては、プラスチック製のものを用いることも可能である。
【００４４】
なお、上述した綴じ具１に用いるリング支持部材２ａ、２ｂは、リング部分４ａ、４ｂ及び軸受け部分５が形成された略平板状のフレーム部分１１ａ、１１ｂを有するものとすることができる。このフレーム部分１１ａ、１１ｂには、図６に示すように、リング部分４ａ、４ｂの基部が連結される平坦面状の側面Ｓｓと、対をなすリング部分４ａ、４ｂによるリング形状が形成される側にある平坦面状の表面Ｓｆとが含まれる。なおここで、平坦面とは、図示の例のように、軸受け部分５等による穴部分が存在してもよいが、全体として湾曲していない平らな面であることを意味する。特にこの実施形態では、フレーム部分１１ａの側面Ｓｓと表面Ｓｆとを互いに直交する向きとしている。
【００４５】
このようなフレーム部分１１ａ、１１ｂでは、長手方向の少なくとも一部で、図６（ａ）から解かるように、たとえば裏面Ｓｂ側の箇所を、裏面Ｓｂ側に向かうに従ってその幅が狭くなって閉鎖位置にて内側に空所Ｖｆが生じる形状とすること等により、軸受け部分５よりも裏面Ｓｂ側に突出するストッパー突出部１２を設けることができる。ストッパー突出部１２は、リング部分４ａ、４ｂが閉鎖位置から開放位置に向かうに従って互いに接近して、図６（ｂ）に示すように開放位置で当接し、リング部分４ａ、４ｂの更なる開きを防止するものである。ストッパー突出部１２の寸法形状は、リング部分４ａ、４ｂの許容する開き度合に応じて適宜決定することができる。
【００４６】
また、この実施形態は、二本のリング支持部材２ａ、２ｂを長手方向に相対的に移動可能なものとしており、リング支持部材２ａ、２ｂのフレーム部分１１ａ、１１ｂに、その長手方向の相対的な移動に伴い、リング支持部材２ａ、２ｂを相互に離隔する向きに変位させ、リング部分４ａ、４ｂの開放位置への移動を補助するスライド開放機構を設けている。
スライド開放機構は、図１１（ａ）及び（ｂ）のそれぞれに示すように、リング支持部材２ａ、２ｂのフレーム部分１１ａ、１１ｂの互いに対向する内側面のそれぞれに設けられて、当該内側面から突出するスライド凸部１３ａ、１３ｂで構成することができる。
【００４７】
スライド凸部１３ａ、１３ｂはいずれも、互いに向き合う斜面を有し、長手方向に若干延びるものとして設けられている。
綴じ具１を組み立てた状態では、スライド凸部１３ａ、１３ｂの対向する斜面どうしが、図１２（ａ）に示すように、閉塞位置で互いに離隔して位置するが、リング支持部材２ａ、２ｂを長手方向に相対的に移動させるに伴って、図１２（ｂ）に示すように接触し、さらに移動させると、図１２（ｃ）に示すように互いに乗り上げて、リング支持部材２ａ、２ｂの相互を離隔する向きに変位させる。なお、一方のスライド凸部１３ａの長手方向に隣接する箇所には、他方のスライド凸部１３ｂが閉鎖位置で入り込む凹部１４を設けることができる。
【００４８】
スライド凸部１３ａ、１３ｂは、リング支持部材２ａ、２ｂの回動変位の中心になるシャフト部材３にできる限り近い位置、たとえば、図示の例のようにシャフト部材３ないしシャフト配置スペースＡｓより表面Ｓｆ側で、シャフト部材３ないしシャフト配置スペースＡｓに隣接する位置に設けることが、リング支持部材２ａ、２ｂの長手方向の短いストロークでリング支持部材２ａ、２ｂを大きく離隔させることができる点で好ましい。
【００４９】
また、この実施形態では、図１１（ａ）及び（ｂ）のそれぞれに示すように、リング支持部材２ａ、２ｂのそれぞれに設けた軸受け部分５の互いに対向する端部に、閉鎖位置で互いに係合するとともに、リング支持部材２ａ、２ｂの長手方向の相対的な移動に伴って当該係合が解除されてリング支持部材２ａ、２ｂの回動変位を可能にする係合爪１５ａ、１５ｂを設けている。これにより、リング支持部材２ａ、２ｂを長手方向に相対的に移動させる前の、リング部分４ａ、４ｂの意図しない開きを防止することができる。
【００５０】
そしてまた、この実施形態の綴じ具１は、たとえばリング支持部材２ａ、２ｂの長手方向の中央域等に、図１３に示すように、それらの二本のリング支持部材２ａ、２ｂを長手方向でリング部分４ａ、４ｂを閉じる向きに付勢するコイルばね１６をさらに有するものである。このコイルばね１６は、上述したような係合爪１５ａと協働して、リング部分４ａ、４ｂを閉鎖位置に維持するべく機能する。したがって、ユーザーは、リング部分４ａ、４ｂを閉鎖位置から開放位置に移動させるには、コイルばね１６による付勢力に抗して、リング支持部材２ａ、２ｂを長手方向に移動させ、それにより、係合爪１５ａ、１５ｂの係合状態を解除する。なおこの際に、先述したスライド開放機構の機能に基いて、リング支持部材２ａ、２ｂが互いに離隔する向きに変位するので、その後にリング部分４ａ、４ｂがほぼ自動的に開放位置に移動することになる。
【００５１】
なお、コイルばね１６の内側には、シャフト部材３が貫通して配置されている。コイルばね１６を有する綴じ具１を製造する際には、リング支持部材２ａ、２ｂを相互に重ね合わせ、コイルばね１６をリング支持部材２ａ、２ｂの間の所定位置に配置した後、リング支持部材２ａ、２ｂの端部からシャフト部材３を挿入する。但し、コイルばねを有しない綴じ具としてもよい。
【符号の説明】
【００５２】
１  綴じ具
２ａ、２ｂ  リング支持部材
３  シャフト部材
４ａ、４ｂ  リング部分
５  軸受け部分
６  挿入ガイド通路
７  ガイド傾斜面
８、１８  拡大端部
８ａ、１８ａ  外周面
９、１９  シャフト挿入孔
１０、２０  抜け止め壁部
１１ａ、１１ｂ  フレーム部分
１２  ストッパー突出部
１３ａ、１３ｂ  スライド凸部
１４  凹部
１５ａ、１５ｂ  係合爪
１６  コイルばね
Ｓｆ  表面
Ｓｓ  側面
Ｓｂ  裏面
Ｖｆ  空所
Ａｓ  シャフト配置スペース
Ｅｓ  拡大スペース箇所
Ｃｓ  シャフト配置スペースの中心軸線
【図１】
2020006539.tif 000003
【図２】
2020006539.tif 000004
【図３】
2020006539.tif 000005
【図４】
2020006539.tif 000006
【図５】
2020006539.tif 000007
【図６】
2020006539.tif 000008
【図７】
2020006539.tif 000009
【図８】
2020006539.tif 000010
【図９】
2020006539.tif 000011
【図１０】
2020006539.tif 000012
【図１１】
2020006539.tif 000013
【図１２】
2020006539.tif 000014
【図１３】
2020006539.tif 000015
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
互いに隣接し、それぞれに対をなすリング部分および軸受け部分が形成された二本のリング支持部材と、リング支持部材の長手方向に沿って各リング支持部材の前記軸受け部分に通して配置され、二本のリング支持部材の相互を連結するシャフト部材とを有してなり、シャフト部材の周りでのリング支持部材の回動変位により、リング部分を、対をなす該リング部分のそれぞれの先端部が互いに近接してリング形状が形成される閉鎖位置と、それぞれの前記先端部が互いに離隔する開放位置との間で移動可能とした綴じ具であって、
二本の前記リング支持部材の相互間に、前記軸受け部分の内側を含んでリング支持部材の長手方向に延びるシャフト配置スペースを有し、前記リング支持部材の少なくとも一方の端部側に、前記シャフト配置スペースの中心軸線から偏心する挿入ガイド通路が設けられるとともに、
前記シャフト配置スペースが、前記リング支持部材の前記端部側に、前記シャフト配置スペースの他の箇所に比して該シャフト配置スペースの中心軸線から離れる方向に拡がる拡大スペース箇所を有し、前記拡大スペース箇所の一部が前記挿入ガイド通路として区画されており、
前記挿入ガイド通路が、前記シャフト配置スペースの中心軸線に対して傾斜するガイド傾斜面を有してなる綴じ具。
【請求項２】
前記挿入ガイド通路が、少なくとも一部で、互いに隣接する二本のリング支持部材の幅方向に、前記シャフト配置スペースの中心軸線から偏心してなる請求項１に記載の綴じ具。
【請求項３】
前記挿入ガイド通路が、前記リング支持部材の端部に到達してなる請求項１又は２に記載の綴じ具。
【請求項４】
前記リング支持部材の端部が、他の部分に比して外周を拡大させた拡大端部であり、前記拡大端部に、前記挿入ガイド通路がつながるシャフト挿入孔が設けられてなる請求項３に記載の綴じ具。
【請求項５】
前記拡大端部の前記シャフト挿入孔が、前記シャフト配置スペースの中心軸線に対し、前記挿入ガイド通路の偏心方向と異なる方向にずれて位置してなる請求項４に記載の綴じ具。
【請求項６】
前記シャフト配置スペースの中心軸線に対し、前記挿入ガイド通路が、互いに隣接する二本のリング支持部材の幅方向の一方側に偏心するとともに、前記シャフト挿入孔が、前記幅方向の他方側にずれて位置してなる請求項５に記載の綴じ具。
【請求項７】
前記拡大端部の、前記シャフト配置スペースを延長させた位置に、シャフト部材を前記シャフト配置スペース内に収める抜け止め壁部が設けられてなる請求項４〜６のいずれか一項に記載の綴じ具。
【請求項８】
前記シャフト挿入孔が、前記拡大端部の外周面より内側に存在してなる請求項４〜７のいずれか一項に記載の綴じ具。
【請求項９】
前記シャフト挿入孔が、当該拡大端部の外周面に開口してなる請求項４〜７のいずれか一項に記載の綴じ具。
【請求項１０】
前記シャフト部材が、１ｍｍ以上の直径を有する金属製ロッドである請求項１〜９のいずれか一項に記載の綴じ具。
【請求項１１】
各リング支持部材が、リング部分の基部と連結される平坦面状の側面と、対をなすリング部分による前記リング形状の形成される側にある平坦面状の表面とを含むフレーム部分を有し、前記フレーム部分の内側に前記軸受け部分が収納されてなる請求項１〜１０のいずれか一項に記載の綴じ具。
【請求項１２】
前記フレーム部分が裏面側に、前記軸受け部分よりも裏面側に突出し、リング部分が前記閉鎖位置から前記開放位置に向かうに従って互いに接近して前記開放位置で当接するストッパー突出部を有してなる請求項１１に記載の綴じ具。
【請求項１３】
二本のリング支持部材が長手方向に相対的に移動可能であり、二本のリング支持部材の相互を長手方向に付勢するコイルばねをさらに有してなる請求項１〜１２のいずれか一項に記載の綴じ具。
【手続補正２】
【補正対象書類名】明細書
【補正対象項目名】０００８
【補正方法】変更
【補正の内容】
【０００８】
この発明の綴じ具は、互いに隣接し、それぞれに対をなすリング部分および軸受け部分が形成された二本のリング支持部材と、リング支持部材の長手方向に沿って各リング支持部材の前記軸受け部分に通して配置され、二本のリング支持部材の相互を連結するシャフト部材とを有してなり、シャフト部材の周りでのリング支持部材の回動変位により、リング部分を、対をなす該リング部分のそれぞれの先端部が互いに近接してリング形状が形成される閉鎖位置と、それぞれの前記先端部が互いに離隔する開放位置との間で移動可能としたものであって、二本の前記リング支持部材の相互間に、前記軸受け部分の内側を含んでリング支持部材の長手方向に延びるシャフト配置スペースを有し、前記リング支持部材の少なくとも一方の端部側に、前記シャフト配置スペースの中心軸線から偏心する挿入ガイド通路が設けられるとともに、前記シャフト配置スペースが、前記リング支持部材の前記端部側に、前記シャフト配置スペースの他の箇所に比して該シャフト配置スペースの中心軸線から離れる方向に拡がる拡大スペース箇所を有し、前記拡大スペース箇所の一部が前記挿入ガイド通路として区画されており、前記挿入ガイド通路が、前記シャフト配置スペースの中心軸線に対して傾斜するガイド傾斜面を有してなるものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】